(57)【特許請求の範囲】
【請求項１】
リモートマルチポイントを運用した制御システムの方法は、
（１）リモートマルチポイント制御システムを提供し、該リモートマルチポイント制御システムは複数の直列接続の被制御ユニットを含み、各被制御ユニットは執行ユニット、解読ユニットをそれぞれ含み、各解読ユニットはそれぞれデータ処理ユニット及び記憶ユニットを設置し、
（２）これにより制御ユニットは情報序列を伝送し、内、該情報序列は第一起点パケット及び複数の第一数値データパケットを含み、該第一起点パケットは第一リード信号、第一アドレス、第一被制御ユニット直列長さ情報を含み、該第一数値データパケットは第一赤色光データ、第一緑色光データ、第一青色光データを含み、
（３）これにより各解読ユニットは該第一リード信号に基づき、各データ処理ユニットは該第一アドレスを更新し次に伝送し、
（４）これにより各解読ユニットは各第一アドレス及び該第一被制御ユニット直列長さ情報に基づき、それが対応する該第一アドレスの第一数値データパケットを知ることができ、
（５）これにより各解読ユニットは各第一数値データパケットの内容に基づき、それぞれ各執行ユニットを動作させ、
（６）終了、
のステップを含むことを特徴とするリモートマルチポイントを運用した制御システムの方法。
【請求項２】
請求項１記載のリモートマルチポイントを運用した制御システムの方法において、前記被制御ユニットは発光装置であることを特徴とするリモートマルチポイントを運用した制御システムの方法。
【請求項３】
請求項１記載のリモートマルチポイントを運用した制御システムの方法において、前記被制御ユニットはLEDドライバー及びLEDにより組成することを特徴とするリモートマルチポイントを運用した制御システムの方法。
【請求項４】
請求項１記載のリモートマルチポイントを運用した制御システムの方法において、前記情報序列はクロック信号及びデータ信号により組成することを特徴とするリモートマルチポイントを運用した制御システムの方法。
【請求項５】
請求項４記載のリモートマルチポイントを運用した制御システムの方法において、前記情報序列は該時計信号及び該データ信号を解読可能な信号により組成されることを特徴とするリモートマルチポイントを運用した制御システムの方法。
【請求項６】
リモートマルチポイントを運用した制御システムの方法は、
（１）リモートマルチポイント制御システムを提供し、該リモートマルチポイント制御システムは複数の直列接続の被制御ユニットを含み、各被制御ユニットは執行ユニット、解読ユニットをそれぞれ含み、該各解読ユニットはそれぞれデータ処理ユニット及び記憶ユニットを設置し、
（２）これにより制御ユニットは情報序列を伝送し、内、該情報序列は第一起点パケットを含み、該第一起点パケットは第一リード信号、第一アドレス、第一被制御ユニット直列長さ情報を含み、
（３）これにより各解読ユニットは該第一リード信号に基づき、各データ処理ユニットは該第一アドレスを更新し次に伝送し、
（４）これにより各解読ユニットは各第一アドレスに基づき、各被制御ユニットのアドレスを知ることができ、このアドレスを該記憶ユニットに保存し、
（５）これにより制御ユニットは第二数値データ信号を序列を該各解読ユニットに伝送し、内、該第二数値データ信号序列は第二起点パケット及び少なくとも一個の第二数値データパケットを含み、該第二起点パケットは第二リード信号及び第二アドレスを含み、該第二数値データパケットは第二赤色光データ、第二緑色光データ、第二青色光データを含み、
（６）これにより各解読ユニットはそれぞれ記憶ユニットに保存されていたアドレス及び各第二アドレスに基づき、該第二数値データパケットの内容を得て、それ各執行ユニットに動作させ、ステップ（５）に戻り、
のステップを含むことを特徴とするリモートマルチポイントを運用した制御システムの方法。
【請求項７】
請求項６記載のリモートマルチポイントを運用した制御システムの方法において、前記被制御ユニットは発光装置であることを特徴とするリモートマルチポイントを運用した制御システムの方法。
【請求項８】
請求項６記載のリモートマルチポイントを運用した制御システムの方法において、前記被制御ユニットはLEDドライバー及びLEDにより組成することを特徴とするリモートマルチポイントを運用した制御システムの方法。
【請求項９】
請求項６記載のリモートマルチポイントを運用した制御システムの方法において、前記情報序列はクロック信号及びデータ信号により組成することを特徴とするリモートマルチポイントを運用した制御システムの方法。
【請求項１０】
請求項９記載のリモートマルチポイントを運用した制御システムの方法において、前記情報序列は該時計信号及び該データ信号を解読可能な信号により組成されることを特徴とするリモートマルチポイントを運用した制御システムの方法。
【発明の詳細な説明】
【技術分野】
【０００１】
本発明はリモートマルチポイントを運用した制御システムの方法に関する。特に数値データ信号序列によりリモートマルチポイントを運用する制御システムの方法で、特に灯光システムに適用し、特にLED灯光システムの制御に用いるリモートマルチポイントを運用した制御システムの方法に係る。
【背景技術】
【０００２】
現在発光装置システムを駆動する方式はおよそ三種に分けられる。
第一の方式は、一個の制御ボックスによりすべてのランプを制御し、さらにケーブルにより各ランプにそれぞれ接続するものである。この種の設計は簡単であるが、ランプの個数が多い、各ランプ間の距離が離れている、分布或いは排列が不規則である場合には、非常に多くのケーブルが必要になってしまい、ケーブル自体のコストが高いことに加え、配線の設置コストも問題である。
第二の方式は、共用アドレスバス設計を利用し、各システムを数個のバスに分け、各バスを数個のランプに分け、各ランプ内に一個の制御回路を設置し、さらに該各一個のランプに一個の絶対的アドレス（ID）を与えるものである。これにより電源と信号線を各ランプに接続するだけで、システムは作業を行うことができる。このシステムは比較的簡単であるが、やはりいくつかの欠点がある。各ランプは異なるIDを設定する必要があるため、別にディップスイッチ、EPROMシステムの設定ハードディスクコスト、別の設定手順が必要となり、コストが拡大してしまう。さらにメンテナンス時にも調整部品のIDが必要でこれにより交換を行うため、相対的に非常に面倒である。
第三の方式は、直列接続式制御回路を採用する灯光システム式装飾証明システムである。これは主制御装置により数個の被制御ランプを制御し、つまりマルチポイント制御システムは主制御装置により多数の被制御点を制御するものである。各被制御点間の距離が離れている時には、システムを数本の直列接続のシステムに分け、各サブシステム間のランプは相互に直列接続し、シフトレジスターの特性を利用することで、システムはデータをいつどの被制御ランプに送るかを制御可能である。さらに、単一の一時保存信号を用い各被制御ランプにそのデータをピックアップするよう通知する。こうして該各ランプは完全に相同となり、システム全体の配線、設置、後日のメンテナンスをシンプルにすることができる。
【０００３】
図１は前記第三の方式のブロックチャートである。図中では５個のランプユニット１０１ａ〜１０１ｅを記載する。図中に列記される接続信号１０２、１０３はこの種のシステムが必要な最小接続数量で、数値データ線DAT、クロック線CLK、ロック信号LE、輝度制御の出力イネーブルOE、電源VDD、グランド線GNDの６本を含む。各ランプユニット１０１ａ〜１０１ｅは相同の線により接続信号１０３を接続する。
図２は図１のランプユニット１０１ａ〜１０１ｅの内部構造指示図で、４組の回路についてのみ説明するが、実際の回路数は各種応用によって異なる。信号群２１０は信号入力端で、信号群２１１は信号出力端である。４組のＤタイプラッチ（Latch）２０３ａ〜２０３ｄは１組のS-Rシフトレコーダーを構成し、外来の第三数値データ信号序列CLK1に押され、外部のデータDATIを順番にラッチ２０３ａ〜２０３ｄに保存する。同時に、内部のデータも順番に別のデータ線DATOから次のランプに送る。
【０００４】
データ推移定位後、外部のロック信号LE は４組のDタイプラッチ２０３ａ〜２０３ｄの出力を別の群のＤタイプラッチ（Latch）２０２ａ〜２０２ｄによらせ、さらにLED駆動回路２０１により外部LED２１３ａ〜２１３ｃを駆動する。バッファー２０６は信号データ出力DATOの出力緩衝に用いる。システムの中には出力緩衝を内蔵するものもあり、そのOEI、LEI、CLKIの信号を伝送し、緩衝回路を利用し数値データ線とクロック線を拡大し、各直列接続装置間の距離を延伸する。しかし、それは数値データシフトが必要であるため、数値データロック信号を加える必要がある。よって、点と点の間の数値データは計３本の信号線が必要である。点の数が多く、しかも点と点の距離が離れたシステムは線が多くコストも拡大してしまい、信頼度を低下させる。
上記欠点を改善するために、クロックフェイル感知器（clock fail detect）の方式を利用し発光装置直列接続を駆動するシステムが生まれた。しかもこのシステムは不自然に時計信号を停止する必要があり、しかも固定のクロック段少時間の応用方式もシステム時計信号の周波数応用範囲を制限する。しかもこの種の方法はある一点の数値データを改変する必要がある時には、すべての数値データを再送する必要があるという問題がある。
【０００５】
上記の第二の方法はDMX-512或いは12Cのシステムを代表する。各受信点にはすべて予め設置するアドレスが必要で、例えば外部のディップスイッチ（DIP SWITCH）設定を使用し、或いはプログラム化可能な被揮発性メモリを内蔵するなど、設定が面倒であるばかりか、システムの局部において変更する時には、変更のコストが非常に高い。多くの別に予め設定するアドレス及びアドレス設定協調のメカニズムを利用し、各点アドレスを設定するシステムが提出されているが、コストを増大させ、かつ設計の複雑度をも増加する。
よって、リモートマルチポイントを運用した制御システムの方法を開発し、アドレス設定コストを低下させ、制御信号の数を減少させ、しかも選択的にランダムアドレス設定の機能を加えるかが、本発明が積極的に検討しようするところである。
【発明の開示】
【発明が解決しようとする課題】
【０００６】
本発明が解決しようとする課題は、公知の発光装置システムを駆動する方法のシステム構造の設計が複雑であった問題を解決することができるリモートマルチポイントを運用した制御システムの方法を提供することである。
【課題を解決するための手段】
【０００７】
本発明は下記のリモートマルチポイントを運用した制御システムの方法を提供する。
リモートマルチポイントを運用した制御システムの方法は、
（１）リモートマルチポイント制御システムを提供し、該リモートマルチポイント制御システムは複数の直列接続の被制御ユニットを含み、各被制御ユニットは執行ユニット、解読ユニットをそれぞれ含み、各解読ユニットはそれぞれデータ処理ユニット及び記憶ユニットを設置し、
（２）これにより制御ユニットは情報序列を伝送し、内、該情報序列は第一起点パケット及び複数の第一数値データパケットを含み、該第一起点パケットは第一リード信号、第一アドレス、第一被制御ユニット直列長さ情報を含み、
（３）これにより各解読ユニットは該第一リード信号に基づき、各データ処理ユニットは該第一アドレスを更新し次に伝送し、
（４）これにより各解読ユニットは各第一アドレス及び該第一被制御ユニット直列長さ情報に基づき、それが対応する該第一アドレスの第一数値データパケットを知ることができ、
（５）これにより各解読ユニットは各第一数値データパケットの内容に基づき、それぞれ各執行ユニットを動作させ、
（６）終了、
のステップを含み。
【０００８】
別種のリモートマルチポイントを運用した制御システムの方法は、以下のステップを含み、
（１）リモートマルチポイント制御システムを提供し、該リモートマルチポイント制御システムは複数の直列接続の被制御ユニットを含み、各被制御ユニットは執行ユニット、解読ユニットをそれぞれ含み、該各解読ユニットはそれぞれデータ処理ユニット及び記憶ユニットを設置し、
（２）これにより制御ユニットは情報序列を伝送し、内、該情報序列は第一起点パケットを含み、該第一起点パケットは第一リード信号、第一アドレス、第一被制御ユニット直列長さ情報を含み、
（３）これにより各解読ユニットは該第一リード信号に基づき、各データ処理ユニットは該第一アドレスを更新し次に伝送し、
（４）これにより各解読ユニットは各第一アドレスに基づき、各被制御ユニットのアドレスを知ることができ、このアドレスを該記憶ユニットに保存し、
（５）これにより制御ユニットは第二数値データ信号を序列を該各解読ユニットに伝送し、内、該第二数値データ信号序列は第二起点パケット及び少なくとも一個の第二数値データパケットを含み、該第二起点パケットは第二リード信号及び第二アドレスを含み、
（６）これにより各解読ユニットはそれぞれ記憶ユニットに保存されていたアドレス及び各第二アドレスに基づき、該第二数値データパケットの内容を得て、それ各執行ユニットに動作させ、ステップ（５）に戻り。
【０００９】
これにより、リモートマルチポイントを運用した制御システムはスピーディーにアドレス設定を行うことができ、各単一のポイントは別にアドレス設定ハードディスクを必要とせず、制御線の吸うもより少なくすることができ、さらにランダムアドレス設定の機能を備える。しかも、ある被制御ユニットの発光状態を改変する必要がある場合には、該被制御ユニットのアドレス及びデータパケットメッセージを備える数値データ信号を伝送するだけで、該被制御ユニットの発光状態を改変することができる。こうしてリモートマルチポイントを運用した制御システムは迅速にアドレスを設定でき、駆動することができる。
【発明の効果】
【００１０】
本発明リモートマルチポイントを運用した制御システムはスピーディーにアドレス設定を行うことができ、各単一のポイントは別にアドレス設定ハードディスクを必要とせず、制御線の吸うもより少なくすることができ、さらにランダムアドレス設定の機能を備える。しかも、ある被制御ユニットの発光状態を改変する必要がある場合には、該被制御ユニットのアドレス及びデータパケットメッセージを備える数値データ信号を伝送するだけで、該被制御ユニットの発光状態を改変することができる。こうしてリモートマルチポイントを運用した制御システムは迅速にアドレスを設定でき、駆動することができる。
【発明を実施するための最良の形態】
【００１１】
図３は本発明リモートマルチポイントを運用した制御システムの最適具体的実施例の方法フローチャートである。図に示すように、該方法は以下のステップを含む。
（１）リモートマルチポイント制御システムを提供する。該リモートマルチポイント制御システムは複数の直列接続の被制御ユニット（LEDドライバー及びLEDで構成する被制御ユニットなど。但し、これに限定しない）を含む。各被制御ユニットは執行ユニット（LEDなど。但し、これに限定しない）、解読ユニットをそれぞれ含む。該各解読ユニットはそれぞれデータ処理ユニット及び記憶ユニットを設置する。内、直列接続の被制御ユニットのインターフェースは時計信号及びデータ信号により組成され、或いは該時計信号及び該データ信号を解読可能な信号により組成される。
（２）これにより制御ユニット（制御ICなど。但し、これに限定しない）は情報序列を伝送する。内、該情報序列は第一起点パケット及び複数の第一数値データパケットを含む。該第一起点パケットは第一リード信号、第一アドレス、第一被制御ユニット直列長さ情報を含む。内、上記の情報序列はクロック信号及びデータ信号により構成され、或いは該クロック信号及びデータ信号を解読可能な信号により構成される。
（３）これにより各解読ユニットは該第一リード信号に基づき、各データ処理ユニットは該第一アドレスを更新し次に伝送する。他の情報は更新せず、次に伝送する。
（４）これにより各解読ユニットは各第一アドレス及び該第一被制御ユニット直列長さ情報に基づき、それが対応する該第一アドレスの第一数値データパケットを知ることができる。各被制御ユニットは直列接続で、各被制御ユニットが対応する第一数値データパケットが、コントローラーにより送出され、各被制御ユニットに到達するまでに必要な時間は異なる。情報序列の排列及びデータ処理ユニットの処理方式においては、選択的に伝送時間が比較的長い第一数値データパケットを先ず送出し、次に伝送時間が比較的短い第一数値データパケットを伝送する。こうして異なる被制御ユニットはそれが対応する第一数値データパケットを同時に受け取ることができ、同期執行の目的を達成することができる。
（５）これにより各解読ユニットは各第一数値データパケットの内容に基づき、それぞれ各執行ユニットを動作させる。すなわち、情報序列は前記とは異なり、各被制御ユニットは選択的に第一アドレスによる。第一被制御ユニット直列長さ情報は、情報が被制御ユニットより次の被制御ユニットに伝達されるまでに必要な時間を、すべての被制御ユニットが各第一数値データパケットから得る時間を計算し、新動作の同期執行を達成する。
（６）終了。
【００１２】
図４は本発明リモートマルチポイントを運用した制御システムの方法の最適具体的実施例図で、図５は本発明の第一数値データ信号序列概略図である。
図３、４、５に合わせて示すように、先ずリモートマルチポイントを運用した制御システム１００を提供する。該リモートマルチポイントを運用した制御システム１００は複数の被制御ユニット１００１〜１００ｎ（LEDドライバー及びLEDで構成する被制御ユニットなど。但し、これに限定しない）を含む。該各被制御ユニット１００１〜１００ｎはそれぞれ執行ユニット１１０１〜１１０ｎ（LEDなど。但し、これに限定しない）及び解読ユニット１２０１〜１２０ｎを含む。各解読ユニット１２０１〜１２０ｎはそれぞれデータ処理ユニット１３０１〜１３０ｎ及び記憶ユニット１４０１〜１４０ｎを設置する。
続いて、制御ユニット１５０（制御ICなど。但し、これに限定しない）は情報序列で、該情報序列は第一起点パケット１５１０及び複数の第一数値データパケット１５１１〜１５１ｎを含む。１５１１は最後の被制御ユニットに接続する第一数値データパケットで、第一起点パケットに続き送出される。１５１ｎは制御ユニットに連接する被制御ユニットが対応する第一数値データパケットで、データ序列中では最後に送出される。
【００１３】
該各第一数値データパケット１５１１〜１５１ｎの内容はそれぞれ第一赤色光データ１５１１ｒ〜１５１１ｎｒ、第一緑色光データ１５１１ｇ〜１５１１ng、第一青色光データ１５１１ｂ〜１５１１nbを含む。該第一起点パケット１５１０は第一リード信号１５１０１、第一アドレス１５１０２、第一被制御ユニット直列長さ情報１５１０３を含む。内、上記の情報序列はクロック信号１５２及びデータ信号１５１により構成され、或いは該クロック信号１５２及び該データ信号１５１を解読可能な信号により構成される。
この後、各解読ユニット１２０１〜１２０ｎは該第一リード信号１５１０１に基づき、各データ処理ユニット１３０１〜１３０ｎに該第一アドレス１５１０２を更新させ、次に伝送させる。
続いて、各解読ユニット１２０１〜１２０ｎは各第一アドレス１５１０２及び該第一被制御ユニット直列長さ情報１５１０３に基づき、それが対応する該第一アドレス１５１０２の第一数値データパケット１５１１〜１５１ｎを知り、該記憶ユニット１４０１〜１４０ｎに保存する。
【００１４】
上記において注意すべき点は、各解読ユニット１２０１〜１２０ｎは該第一リード信号１５１０１に基づくため、各データ処理ユニット１３０１〜１３０ｎのカウントはすべて異なる点である。すなわち、各被制御ユニット１００１〜１００n が設定するアドレスに重複現象は起こらないということである。
この後、各解読ユニット１２０１〜１２０ｎは各第一数値データパケット１５１１〜１５１ｎの内容に基づき各執行ユニット１１０１〜１１０n の動作をそれぞれ駆動する。こうして本発明の方法に基づき、該第一数値データ信号序列１５１を本発明のリモートマルチポイントを運用した制御システム１００に伝送すれば、迅速に各被制御ユニット１００１〜１００ｎに対してアドレスを設定し、しかも駆動することができ、被制御ユニット１００１〜１００ｎアドレス設定の複雑度を大幅に低減することができる。
第一数値データパケット１５１１は最後まで到達するため、多数の被制御ユニットを経過する必要があり必要とする時間が最も長い。但し、それは最も早く送出されるため、最も遅く送出されるものと同じで、到達時間は最短の１５１ｎで、それが対応する被制御ユニットに同時に到達する。同様の理由で、各被制御ユニットは更新データを同時に受け取ることができ、同期更新の目的を達成する。情報序列の排列方式は、上記と同様ではなく、各被制御ユニットはやはり、第一アドレス１５１０２及び第一被制御ユニット直列長さ情報１５１０３及び情報序列に基づき、各被制御ユニットが必要な時間を通過し情報の排列方式は第一数値データパケットが各対応する被制御ユニットに到達する最も遅い時間を計算し、情報を同期更新或いは動作同期執行の目的を達成する。仮に、システムが同期更新或いは執行を必要としないなら、上記ステップを省略することができる。
【００１５】
図６は本発明の第二数値データ信号序列概略図である。図６に図３、４を合わせて示すように、本発明のリモートマルチポイントを運用した制御システム１００は該第一リード信号１５１０１及び該第一アドレス１５１０２の内容に基づき、各被制御ユニット１００１〜１００ｎに対してアドレスを設定する。
例えば、使用者はその内のある被制御ユニット（被制御ユニット１００３と仮定）の執行ユニット１１０３に対して、その発光状態を改変する必要がある場合には、該制御ユニット１５０に第二数値データ信号序列１６１を該各解読ユニット１２０１〜１２０ｎに伝送させるだけでよい。該第二数値データ信号序列１６１は第二起点パケット１６１０及び少なくとも一個の第二数値データパケット１６１３（本実施例では一個。但し、多数の被制御ユニットに対してその状態を改変する必要がある場合には、それが対応する第二数値データパケットを増やすだけでよい）を含む。該第二数値データパケット１６１３の内容は第二赤色光データ１６１３ｒ、第二緑色光データ１６１３ｇ、第二青色光データ１６１３ｂを含む。該第二起点パケット１６１０は第二リード信号１６１０１、第二アドレス１６１０２、及び選択的な第二被制御ユニット更新数量メッセージ１６１０３を含む。続いて、各解読ユニットが順番に該第二リード信号１６１０１を受信する時には、各データ処理ユニット１３０１〜１３０ｎは該第二アドレス１６１０２を更新し次へと伝送する。
各解読ユニット１２０１〜１２０n は記憶ユニット１４０１〜１４０ｎにそれぞれ保存されているアドレス及び各第二アドレス１６１０２に基づき、該第二数値データパケット１６１３の内容を得て、それぞれ各執行ユニット１１０１〜１１０ｎを動作させる。このように反復執行することで、ある執行ユニットの発光状態を迅速に改変することができ、すべての数値データパケット内容を含む数値データ信号序列を再伝送する必要はない。
【００１６】
上記の内容を以下に整理する。図７は本発明リモートマルチポイントを運用した制御システムの別種の最適具体的実施例の方法フローチャートである。該方法は以下のステップを含む。
（１１）リモートマルチポイント制御システムを提供する。該リモートマルチポイント制御システムは複数の直列接続の被制御ユニット（LEDドライバー及びLEDで構成する被制御ユニットなど。但し、これに限定しない）を含む。各被制御ユニットは執行ユニット、解読ユニットをそれぞれ含む。該各解読ユニットはそれぞれデータ処理ユニット及び記憶ユニットを設置する。
（１２）これにより制御ユニットは情報序列を伝送する。内、該情報序列は第一起点パケットを含む。該第一起点パケットは第一リード信号、第一アドレスを含む。内、上記の情報序列はクロック信号及びデータ信号により構成され、或いは該クロック信号及びデータ信号を解読可能な信号により構成される。
（１３）これにより各解読ユニットは該第一リード信号に基づき、各データ処理ユニットは該第一アドレスを更新し次に伝送する。他の情報は更新せず、次に伝送する。
（１４）これにより各解読ユニットは各第一アドレスに基づき、各被制御ユニットのアドレスを知ることができる。このアドレスは該記憶ユニットに保存する。
（１５）これにより該制御ユニットは第二数値データ信号序列を該各解読ユニットに伝送する。内、該第二数値データ信号序列は第二起点パケット及び少なくとも一個の第二数値データパケットを含む。該第二起点パケットは第二リード信号、第二アドレス、選択的な第二被制御ユニット更新数量メッセージを含む。
（１６）これにより各解読ユニットは各記憶ユニットにそれぞれ保存されているアドレス及び各第二アドレスに基づき、該第二数値データパケットの内容を得て、それぞれ各執行ユニットを動作させ、ステップ（１５）に戻る。
【００１７】
上記のように、一個以上の被制御ユニットを制御する必要がある時には、第二被制御ユニット更新数量メッセージが必要で、各解読ユニットは各記憶ユニットにそれぞれ保存されているアドレス及び各第二アドレス、第二被制御ユニット更新数量メッセージに基づき、該第二数値データパケットの内容を得て、それぞれ各執行ユニットを動作させる。
以上に明らかなように、本発明はリモートマルチポイントを運用した制御システムの方法を提供し、リモートマルチポイントを運用した制御システムにスピーディーにアドレス設定を行わせ、しかもある被制御ユニットの発光状態を改変する必要がある場合には、該被制御ユニットのアドレス及びデータパケットメッセージを備える数値データ信号を伝送するだけで、該被制御ユニットの発光状態を改変することができる。こうしてリモートマルチポイントを運用した制御システムは迅速にアドレスを設定でき、駆動することができる。
【図面の簡単な説明】
【００１８】
【図１】公知の直列接続式ランプの制御回路ブロックチャートである。
【図２】図１のランプユニットの内部構造概略図である。
【図３】本発明リモートマルチポイントを運用した制御システムの最適具体的実施例の方法フローチャートである。
【図４】本発明リモートマルチポイントを運用した制御システムの方法の最適具体的実施例図である。
【図５】本発明の第一数値データ信号序列概略図である。
【図６】本発明の第二数値データ信号序列概略図である。
【図７】本発明リモートマルチポイントを運用した制御システムの別種の最適具体的実施例の方法フローチャートである。
【符号の説明】
【００１９】
（１）  本発明リモートマルチポイントを運用した制御システムの方法のステップ
（２）  本発明リモートマルチポイントを運用した制御システムの方法のステップ
（３）  本発明リモートマルチポイントを運用した制御システムの方法のステップ
（４）  本発明リモートマルチポイントを運用した制御システムの方法のステップ
（５）  本発明リモートマルチポイントを運用した制御システムの方法のステップ
（６）  本発明リモートマルチポイントを運用した制御システムの方法のステップ
（１１）  本発明リモートマルチポイントを運用した制御システムの方法のステップ
（１２）  本発明リモートマルチポイントを運用した制御システムの方法のステップ
（１３）  本発明リモートマルチポイントを運用した制御システムの方法のステップ
（１４）  本発明リモートマルチポイントを運用した制御システムの方法のステップ
（１５）  本発明リモートマルチポイントを運用した制御システムの方法のステップ
（１６）  本発明リモートマルチポイントを運用した制御システムの方法のステップ
１０１ａ、１０１ｂ、１０１ｃ、１０１ｄ、１０１ｅ  ランプユニット
１０２  接続信号
１０３  接続信号
DAT  数値データ線
CLK  クロック線
LE  ロック信号
OE  出力イネーブル
VDD  電源
GND  グランド線
２０１  LED 駆動回路
２０１  信号群
２０２ａ、２０２ｂ、２０２ｃ、２０２ｄ  ラッチ
２０３ａ、２０３ｂ、２０３ｃ、２０３ｄ  ラッチ
２１３ａ、２１３ｂ、２１３ｃ  LED
２０４  バッファー
２０６  バッファー
CLK1  外来の第三数値データ信号序列
DATI  外部のデータ
DATO  データ線
LEI  外部のロック信号
１００  リモートマルチポイントを運用した制御システム
１００１、１００２、１００３、１００ｎ  被制御ユニット
１１０１、１１０２、１１０３、１１０ｎ  執行ユニット
１２０１、１２０２、１２０３、１２０ｎ  解読ユニット
１３０１、１３０２、１３０３、１３０ｎ  データ処理ユニット
１４０１、１４０２、１４０３、１４０ｎ  記憶ユニット
１５０  制御ユニット
１５１  データ信号
１５２  クロック信号
１５１０  第一起点パケット
１５１０１  第一リード信号
１５１０２  第一アドレス
１５１０３  第一被制御ユニット直列長さ情報
１５１１、１５１n  第一数値データパケット
１５１１ｒ、１５１１nr  第一赤色光データ
１５１１ｇ、１５１１ng  第一緑色光データ
１５１１ｂ、１５１１nb  第一青色光データ
１６１  第二数値データ信号序列
１６１０  第二起点パケット
１６１０１  第二リード信号
１６１０２  第二アドレス
１６１０３  第二被制御ユニット更新数量メッセージ
１６１３  第二数値データパケット
１６１３ｒ  第二赤色光データ
１６１３ｇ  第二緑色光データ
１６１３ｂ  第二青色光データ
【図１】
0004781375.tif 000002
【図２】
0004781375.tif 000003
【図３】
0004781375.tif 000004
【図４】
0004781375.tif 000005
【図５】
0004781375.tif 000006
【図６】
0004781375.tif 000007
【図７】
0004781375.tif 000008